(57)【要約】      （修正有）【課題】水中の釣用天秤が、上端リングとか下端リングから力を受けない条件であっても、釣用天秤が本来あるべき安定な姿勢を保持したまま水中で沈降していく釣用天秤を提供することである。【解決手段】上端リングＲ１と下端リングＲ２を設けた本体部ＢとアームリングＲａを設けたアームａから構成され、アームａと本体部Ｂとは直角になるように接続部Ｂａで接続されてなる釣用天秤において、本体部Ｂの接続部Ｂａより下端までの本体下部の重量を重くして、本体部Ｂの接続部Ｂａより釣用天秤の重心が下になるようにしたことを特徴とする。  【選択図】図１
0003202490.tif 000002
【実用新案登録請求の範囲】
【請求項１】
上端リングＲ１と下端リングＲ２を設けた本体部ＢとアームリングＲａを設けたアームａから構成され、アームａと本体部Ｂとは直角になるように接続部Ｂａで接続されてなる釣用天秤１００において、
本体部Ｂの接続部Ｂａより下端までの本体下部Ｂ２の重量を重くして、本体部Ｂの接続部Ｂａより釣用天秤１００の重心Ｏｇが下になるように、本体部Ｂの接続部Ｂａより釣用天秤１００の重心Ｏｇが下になるようにしたことを特徴とする釣用天秤１００。  
【請求項２】
上記本体下部Ｂ２が、コイル状に巻いた線材からなることを特徴とする請求項１に記載された釣用天秤１００。
【請求項３】
上端リングＲ１、下端リングＲ２、本体部Ｂ、アームリングＲａ、アームａが全て同じ１本の線材から構成され、釣用天秤１００全体もが同じ１本の線材から構成されてなることを特徴とする請求項１〜２の何れかに記載された釣用天秤１００。
【請求項４】
本体部Ｂの上端リングＲ１を支点にして釣用天秤１００を吊下げた場合、水平アームａが、下方に向いて水平線とのなす角度θが一定角度θ１となることを特徴とする請求項１〜３の何れかに記載された釣用天秤１００。
【請求項５】
釣用天秤１００が水中で沈降する場合、本体部Ｂの上端リングＲ１を上側に本体部Ｂの下端リングＲ２を下側し、かつ、水平アームａが上方を向いて水平線とのなす角度θが、一定角度θ２となる状態を保持して、釣用天秤１００が水中で沈降することを特徴とする請求項１〜４の何れかに記載された釣用天秤１００。
【考案の詳細な説明】
【技術分野】
【０００１】
本考案は、釣用天秤に関する。
【背景技術】
【０００２】
従来、天秤が釣りに使う仕掛けの部品のひとつで、道糸とハリスと重りを接続し糸の絡みを防ぐためのものであることは知られていた。
しかし、経験的に、重りと天秤が着水した後の短い時間の間に釣り針と糸が絡み易いことも知られていたが、何故そうなるのかその仕組みは判明していなかった。
【考案の開示】
【０００３】
考案者は、かかる従来技術の欠点に鑑み鋭意研究した結果、本願考案を完成させた。
考案者は、上記の理由を種々検討したが、下記の理由により重りと天秤が着水した後の短い時間の間に釣り針と糸が絡み易いことが判明した（釣り針と糸が絡み易い理由が判明した。）。
すなわち、重りと天秤の中、重りが着水した瞬間、重りは水の抵抗により減速するのに対して、天秤は空中をそのままの速度で飛行しているのでで、天秤と重りを結ぶ糸は緩み、天秤は重りから力を受けることなく解放される。
そして、次に、天秤が着水した瞬間、天秤は水の抵抗により減速するのに対して、道糸は空中をそのままの速度で飛行しているのでで、天秤を結ぶ道糸は緩み、天秤は道糸からも力を受けることなく解放される。
したがって、重りと天秤が着水した後の短い時間の間、天秤は、重りからも道糸からも力を受けることなく、独立の存在として沈降していくことになる。
天秤は、重りからも道糸からも力を受けることがないため、重りからの復元力も道糸からの復元力もないことになり、非常に姿勢を保持し難く、釣り針と糸が絡み易いことになる。
上記に基づいて、考案者は、天秤のみ単独で水中に沈降させた場合、安定した姿勢を保ち安定して沈降する天秤を想到するに至った。
【先行技術文献】
【特許文献】
【０００４】
本願考案に係る釣用天秤について、ＦＩ、キーワード検索を行ったところ、本件考案（本願の［実用新案登録請求の範囲］の請求項１〜５に記載の考案）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、
水中の釣用天秤が、上端リングとか下端リングから力を受けない条件であっても、釣用天秤が本来あるべき安定な姿勢を保持したまま水中で沈降していく釣用天秤１００を提供することである。
○本考案が解決しようとする第２課題
本考案が解決しようとする第２課題は、
水中の釣用天秤が、上端リングとか下端リングから力を受けない条件であっても、釣用天秤がどのような状態からでも本来あるべき安定な姿勢に復元し、釣用天秤が本来あるべき安定な姿勢を保持したまま水中で沈降していく釣用天秤１００を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○上端リングＲ１とは、釣用天秤１００を構成する本体部Ｂの上端に設置されワッパであり、道糸と接続するための接続具である。
○下端リングＲ２とは、釣用天秤１００を構成する本体部Ｂの下端に設置されワッパであり、重りと接続するための接続具である。
○本体部Ｂとは、釣用天秤１００を構成する構成要素の一つであり、道糸と重りを接続するための中心となる部分をいう。
本体部Ｂは、本体部Ｂの接続部Ｂａより上端（上端リングＲ１との接続部）までの本体上部Ｂ１と本体部Ｂの接続部Ｂａより下端（下端リングＲ２との接続部）までの本体下部Ｂ２とから構成されている。
釣用天秤１００において、アームａと本体部Ｂとは直角になるように接続部Ｂａで接続されてなり、
本体部Ｂの接続部Ｂａより下端までの本体下部Ｂ２の重量を重くして、本体部Ｂの接続部Ｂａより釣用天秤１００の重心Ｏｇが下になるようにしたことを特徴としている。
○本体上部Ｂ１とは、本体部Ｂの中、本体部Ｂの接続部Ｂａより上端（上端リングＲ１との接続部）までの部分をいう。
○本体下部Ｂ２とは、本体部Ｂの中、本体部Ｂの接続部Ｂａより下端（下端リングＲ２との接続部）までの部分をいう。
本体上部に比較して、本体下部Ｂ２の重量を重くして、本体部Ｂの接続部Ｂａより釣用天秤１００の重心Ｏｇが下になるようにしている。
○アームリングＲ３とは、釣用天秤１００を構成するアームａの先端に設置されワッパであり、ハリスをワッパに通して接続するための道具である。
○アームａとは、釣用天秤１００を構成する構成要素の一つであり、釣り針と道糸が絡まないようにアームａと本体部Ｂとは直角になるように接続部Ｂａで接続されてなり、アームａの先端のアームリングＲ３にハリスを通してなり、本体部Ｂと釣り針が一定距離を保つようになっている。
○接続部Ｂａとは、釣用天秤１００において、アームａと本体部Ｂとは直角になるように接続された接続部である。
○釣用天秤１００とは、上端リングＲ１と下端リングＲ２を設けた本体部ＢとアームリングＲａを設けたアームａから構成され、アームａと本体部Ｂとは直角になるように接続部Ｂａで接続されてなる釣用天秤１００であり、
本体部Ｂの接続部Ｂａより下端までの本体下部Ｂ２の重量を重くして、本体部Ｂの接続部Ｂａより釣用天秤１００の重心Ｏｇが下になるようにしたことを特徴とする。
○釣用天秤１００の重心Ｏｇとは、釣用天秤１００の重量の合力が作用する点をいい、釣用天秤１００の質量中心と一致する。
○重りとは、道糸に付けて、仕掛け（釣用天秤１００）を目的の水深や場所に投入するための道具をいう。投げ釣りでは仕掛け（釣用天秤１００）を遠くに飛ばすために使用される。
○コイル状とは、線材を円形または円筒形に巻いたものの形状をいう。
○線材とは、断面が一定鋼材で、通常は円形の太さが０．５〜２ミリほどのものをいう。
●よりもどし（より戻し、撚り戻し）とは釣具の一種で、多くが錆びにくい金属で作られ、上下に道糸（みちいと）等を結ぶ為の輪を持ち、これら上部と下部は中央の軸によって繋がれ互いが自由に回転できる。回転によって糸のよじれ、つまり撚りを戻して糸が互いに絡まるのを防ぐ働きを持つ。多くが小さな重りの役割も兼ねる。スナップという糸の着脱部が付いている「スナップ猿環」や「スナップ付きより戻し」といったものもあり、糸を結ぶことなく簡単に釣針などの仕掛を着け外しできる。概ね１．５ｃｍから４ｃｍ程度までのさまざまな大きさのものがある。
●釣用天秤１００の浮心Ｆとは、水の中の釣用天秤１００の浮力の合力が作用する点をいい、釣用天秤１００が排除する水の重力中心と一致する。
＊＊＊＊＊＊＊＊＊＊＊＊＊＊＊＊＊＊＊＊＊＊＊＊＊＊＊＊＊＊＊＊＊＊＊
＜記号の説明＞
●θは、本体部Ｂが垂直線となす角度をθとする。
アームａと本体部Ｂとは直角になっていることから、本体部Ｂが垂直線となす角度をθと水平アームａが水平線となす角度とは同じになる。
すなわち、θは、本体部Ｂが垂直線となす角度であり、水平アームａが水平線となす角度でもある（図２、図３を参照）。
●θ１は、本体部Ｂの上端リングＲ１を支点にして釣用天秤１００を吊下げた場合、水平アームａが、下方に向いて水平線とのなす一定角度を表す（図３の（１）図を参照）。θ１は、一般には０〜４５°の一定値である。
●θ２は、釣用天秤１００が水中で沈降する場合、本体部Ｂの上端リングＲ１を上側に本体部Ｂの下端リングＲ２を下側し、かつ、水平アームａが上方を向いて水平線とのなす一定角度を表す（図３の（２）図を参照）。θ２は、一般には４５〜９０°の一定値である。
＊＊＊＊＊＊＊＊＊＊＊＊＊＊＊＊＊＊＊＊＊＊＊＊＊＊＊＊＊＊＊＊＊＊＊
＜天秤のみ単独で水中に沈降させた場合、安定した姿勢を保ち安定して沈降する仕組み＞
天秤のみ単独で水中に沈降させた場合、どのような姿勢を取っていたとしても安定した姿勢に移行して、その安定した姿勢を保ちつつ沈降していく仕組みについて以下説明する。
●座標系
座標は以下のように、任意の周方向φに対して、水平方向にｘ座標、垂直方向にｙ座標を採る。ここに、Ｙ軸を右ねじ方向に回転させる方向がφ方向とする。
上記仕組みを論ずる場合、ｘ，ｙ座標の面で考えるものとし、各図において、紙面視、水平右方向がとし、紙面視、垂直上方向がｙ方向とする。Ｙ軸を右ねじ方向に回転させる方向がφ方向である。
●水平線、垂直線
水平線は、の線を表し、垂直方向は、ｙ方向の線を表す。
●本考案に係る釣用天秤１００
本考案に係る釣用天秤１００を図１に示す。
リングＲ１は道糸に結ばれて釣り竿と結合している。リングＲ１と釣り竿との間には捩り戻しを取付ける。
リングＲ２は道糸に結ばれて重りと結合している。リングＲ２と重りとの間には捩り戻しを取付ける。
リングＲ１と釣り竿との間、リングＲ２と重りとの間に捩り戻しを取付けることにより、アームａが流体抵抗ｗＲによる圧縮力（アームａの長手軸方向に作用する圧縮力）を受けた場合、アームａは本体部Ｂの軸周りに自在に回転することにより、本体部Ｂの上方に位置することが容易となっている。
●姿勢を表す角度θについて
釣用天秤１００（アームａが左側と右側と２つの場合がある）について、本体部Ｂが垂直線となす角度をθとする（図２を参照）。
釣用天秤１００（アームａが左側の場合）について、角度θを０°、４５°、９０°、１３５°、１８０°について、どのような姿勢の場合でも、安定した姿勢に復元することを示すこととする。
そして、釣用天秤１００（アームａが右側の場合）について、角度θを０°、４５°、９０°、１３５°、１８０°について、どのような姿勢の場合でも、安定した姿勢に復元することを示すこととする。
●本考案に係る釣用天秤１００（アームａが左側にある場合）の姿勢の復元の仕組み
（Ｌ１）角度θ＝０°の場合（図４（１）図）
天秤の重力Ｗと浮力Ｆと流体抵抗（水の抵抗）ｗＲは釣り合って沈降していくことになるので以下の数式が成立する。
Ｗ−Ｆ＝ｗＲ……（１）式
厳密には、重力Ｗの作用する点（重心）と浮力Ｆの作用する点（浮心）とは相違するが、一般には、天秤が略同一材料で形成されていれば、略一致するものと近似することができる。
したがって、（１）式は、下記の数式で近似することができる。
Ｗ＝ｗＲ……（１）式
ここに、Ｗ＝Ｗ−Ｆ
上記のＷは、空中では、天秤の重力Ｗ、水中では、天秤の重力Ｗ―浮力Ｆとする。
角度θ＝０°の場合では、釣用天秤１００には、時計回りのトルクが作用することにより、時計方向に回転する。
（Ｌ２）角度θ＝４５°の場合（図４（２）図）
角度θ＝４５°の場合では、釣用天秤１００には、時計回りのトルクが作用することにより、時計方向に回転する。
（Ｌ３）角度θ＝θ２の場合（図５（１）図）
角度θ＝θ２の場合では、釣用天秤１００には、時計回りのトルクが作用しないので、釣用天秤１００は、回転することなく安定した姿勢を保ちつつ沈降していく。
（Ｌ４）角度θ＝９０°の場合（図５（２）図）
角度θ＝９０°の場合では、釣用天秤１００には、反時計回りのトルクが作用することにより、反時計方向に回転することにより、（Ｌ３）角度θ＝θ２の安定した姿勢に復元しようとする。
（Ｌ５）角度θ＝１３５°の場合（図６（１）図）
角度θ＝１３５°の場合では、釣用天秤１００には、反時計回りのトルクが作用することにより、反時計方向に回転することにより、（Ｌ４）角度θ＝９０°の姿勢に復元しようとし、（Ｌ４）角度θ＝９０°の姿勢に復元したら、（Ｌ３）角度θ＝θ２の安定した姿勢に復元しようとする。
結局は、角度θ＝１３５°の場合では、（Ｌ３）角度θ＝θ２の安定した姿勢に復元しようとする。
（Ｌ６）角度θ＝１８０°の場合（図６（２）図）
角度θ＝１８０の場合では、釣用天秤１００には、反時計回りのトルクが作用することにより、反時計方向に回転することにより、（Ｌ５）角度θ＝１３５°の姿勢に復元しようとし、（Ｌ５）角度θ＝１３５°の姿勢に復元したら、（Ｌ４）角度θ＝９０°の姿勢に復元しようとし、（Ｌ４）角度θ＝９０°の姿勢に復元したら、（Ｌ３）角度θ＝θ２の安定した姿勢に復元しようとする。
結局は、角度θ＝１８０°の場合では、（Ｌ３）角度θ＝θ２の安定した姿勢に復元しようとする。
●本考案に係る釣用天秤１００（アームａが右側にある場合）の姿勢の復元の仕組み
本考案に係る釣用天秤１００（アームａが右側にある場合）の姿勢の復元の仕組みとは、アームａが圧縮力を受けるので、アームａが本体部Ｂの軸周りに１８０°回転して、アームａが本体部Ｂの上方に移行する点が相違し、アームａが本体部Ｂの上方に移行した後は、本考案に係る釣用天秤１００（アームａが左側にある場合）の姿勢の復元の仕組みと全く同様に説明することができる。
（Ｒ１）角度θ＝０°の場合（図７（１）図）
（Ｒ１）角度θ＝０°の場合（図７（１）図）と（Ｌ５）角度θ＝０°の場合（図４（１）図）とは、アームａが右側にあるか左側にあるかが相違するだけで、の座標の取り方により左右反転すれば、全く同一となる。
結局は、角度θ＝０°の場合では、（Ｌ３）角度θ＝θ２の安定した姿勢に移行し、角度θ＝θ２の場合では、釣用天秤１００には、時計回りのトルクが作用しないので、釣用天秤１００は、回転することなく安定した姿勢を保ちつつ沈降していく。
（Ｒ２）角度θ＝４５°の場合（図７（２）図）
角度θ＝４５°の場合では、アームａには水の流体抵抗Ｒによる圧縮力が作用するために不安定となり、アームａは本体部Ｂの軸周りに１８０°回転して、前述した（Ｌ２）角度θ＝４５°の場合（図４（２）図）の姿勢に移行する。
（Ｌ２）角度θ＝４５°の場合（図４（１）図）の姿勢に移行したら、（Ｌ３）角度θ＝θ２の場合（図５（１）図）の安定した姿勢に移行し、角度θ＝θ２の場合では、釣用天秤１００には、時計回りのトルクが作用しないので、釣用天秤１００は、回転することなく安定した姿勢を保ちつつ沈降していく。
（Ｒ３）角度θ＝θ２の場合（図８（１）図）
角度θ＝θ２の場合では、アームａには水の流体抵抗Ｒによる圧縮力が作用するために不安定となり、アームａは本体部Ｂの軸周りに１８０°回転して、（Ｌ３）角度θ＝θ２の場合（図５（１）図）の姿勢に移行する。
角度θ＝θ２の場合では、釣用天秤１００には、時計回りのトルクが作用しないので、釣用天秤１００は、回転することなく安定した姿勢を保ちつつ沈降していく。
（Ｒ４）角度θ＝９０°の場合（図８（２）図）
角度θ＝９０°の場合では、アームａには水の流体抵抗Ｒによる圧縮力が作用するために不安定となり、アームａは本体部Ｂの軸周りに１８０°回転して、前述した（Ｌ４）角度θ＝９０°の場合（図５（２）図）の姿勢に移行する。
（Ｌ４）角度θ＝９０°の場合（図５（２）図）の姿勢に移行した後は、（Ｌ３）角度θ＝θ２の場合（図５（１）図）の安定した姿勢に移行し、角度θ＝θ２の場合では、釣用天秤１００には、時計回りのトルクが作用しないので、釣用天秤１００は、回転することなく安定した姿勢を保ちつつ沈降していく。
（Ｒ５）角度θ＝１３５°の場合（図９（１）図）
角度θ＝１３５°の場合では、アームａには水の流体抵抗Ｒによる圧縮力が作用するために不安定となり、アームａは本体部Ｂの軸周りに１８０°回転して、前述した（Ｌ５）角度θ＝１３５°の場合（図６（１）図）の姿勢に移行する。
（Ｌ５）角度θ＝１３５°の場合（図６（１）図）の姿勢に移行したら、（Ｌ４）角度θ＝９０°の場合（図６（１）図）の姿勢に復元し、（Ｌ４）角度θ＝９０°の場合（図６（１）図）の姿勢に復元したら、（Ｌ３）角度θ＝θ２の安定した姿勢に復元する。
結局は、角度θ＝１３５°の場合では、（Ｌ３）角度θ＝θ２の安定した姿勢に移行し、角度θ＝θ２の場合では、釣用天秤１００には、時計回りのトルクが作用しないので、釣用天秤１００は、回転することなく安定した姿勢を保ちつつ沈降していく。
（Ｒ６）角度θ＝１８０°の場合（図９（２）図）
（Ｒ５）角度θ＝１８０°の場合（図９（２）図）と（Ｌ６）角度θ＝１８０°の場合（図６（２）図）とは、アームａが右側にあるか左側にあるかが相違するだけで、の座標の取り方により左右反転すれば、全く同一となる。
結局は、角度θ＝１８０°の場合では、（Ｌ３）角度θ＝θ２の安定した姿勢に移行し、角度θ＝θ２の場合では、釣用天秤１００には、時計回りのトルクが作用しないので、釣用天秤１００は、回転することなく安定した姿勢を保ちつつ沈降していく。
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
上端リングＲ１と下端リングＲ２を設けた本体部ＢとアームリングＲａを設けたアームａから構成され、アームａと本体部Ｂとは直角になるように接続部Ｂａで接続されてなる釣用天秤１００において、
本体部Ｂの接続部Ｂａより下端までの本体下部Ｂ２の重量を重くして、本体部Ｂの接続部Ｂａより釣用天秤１００の重心Ｏｇが下になるようにしたことを特徴とする請求項１に記載された釣用天秤１００である。  
○第２の考案（請求項２に記載の考案）
上記の課題を解決するための第２の考案（請求項２に記載の考案）は、
上記本体下部Ｂ２が、コイル状に巻いた線材からなることを特徴とする請求項１に記載された釣用天秤１００である。
○第３の考案（請求項３に記載の考案）
上記の課題を解決するための第３の考案（請求項３に記載の考案）は、
上端リングＲ１、下端リングＲ２、本体部Ｂ、アームリングＲａ、アームａが全て同じ１本の線材から構成され、釣用天秤１００全体もが同じ１本の線材から構成されてなることを特徴とする請求項１〜２の何れかに記載された釣用天秤１００である。
○第４の考案（請求項４に記載の考案）
上記の課題を解決するための第４の考案（請求項４に記載の考案）は、
本体部Ｂの上端リングＲ１を支点にして釣用天秤１００を吊下げた場合、水平アームａが、下方に向いて水平線とのなす角度θが一定角度θ１となることを特徴とする請求項１〜３の何れかに記載された釣用天秤１００である。
○第５の考案（請求項５に記載の考案）
上記の課題を解決するための第５の考案（請求項５に記載の考案）は、
釣用天秤１００が水中で沈降する場合、本体部Ｂの上端リングＲ１を上側に本体部Ｂの下端リングＲ２を下側し、かつ、水平アームａが上方を向いて水平線とのなす角度θが、一定角度θ２となる状態を保持して、釣用天秤１００が水中で沈降することを特徴とする請求項１〜４の何れかに記載された釣用天秤１００である。
【考案の効果】
【０００７】
本考案に係る、釣用天秤１００は、上記のような特徴的構成要件から構成され、特徴的構成要件に応じた、以下のような本願考案特有の効果を奏する。
また、上記の各考案に応じた、上記のような特徴的構成要件から構成された釣用天秤１００によれば、本願考案の課題を十分解消することができた。
○第１の考案の効果
第１の考案によれば、
上端リングＲ１と下端リングＲ２を設けた本体部ＢとアームリングＲａを設けたアームａから構成され、アームａと本体部Ｂとは直角になるように接続部Ｂａで接続されてなる釣用天秤１００において、
本体部Ｂの接続部Ｂａより下端までの本体下部Ｂ２の重量を重くして、本体部Ｂの接続部Ｂａより釣用天秤１００の重心Ｏｇが下になるようにしたことという特徴的な構成要件により、本考案が解決しようとする第１課題〜第２課題を達成することができ、当業者予測不可能な顕著な効果を奏することができた。  
○第２の考案の効果
第２の考案によれば、
上記本体下部Ｂ２が、コイル状に巻いた線材からなることという特徴的な構成要件により、本考案が解決しようとする第１課題〜第２課題を達成することができ、当業者予測不可能な顕著な効果を奏することができた。
○第３の考案の効果
第３の考案によれば、
上端リングＲ１、下端リングＲ２、本体部Ｂ、アームリングＲａ、アームａが全て同じ１本の線材から構成され、釣用天秤１００全体もが同じ１本の線材から構成されてなることという特徴的な構成要件により、本考案が解決しようとする第１課題〜第２課題を達成することができ、当業者予測不可能な顕著な効果を奏することができた。
○第４の考案の効果
第４の考案によれば、
本体部Ｂの上端リングＲ１を支点にして釣用天秤１００を吊下げた場合、水平アームａが、下方に向いて水平線とのなす角度θが一定角度θ１となることという特徴的な構成要件により、本考案が解決しようとする第１課題〜第２課題を達成することができ、当業者予測不可能な顕著な効果を奏することができた。
○第５の考案の効果
第５の考案によれば、
釣用天秤１００が水中で沈降する場合、本体部Ｂの上端リングＲ１を上側に本体部Ｂの下端リングＲ２を下側し、かつ、水平アームａが上方を向いて水平線とのなす角度θが、一定角度θ２となる状態を保持して、釣用天秤１００が水中で沈降することという特徴的な構成要件により、本考案が解決しようとする第１課題〜第２課題を達成することができ、当業者予測不可能な顕著な効果を奏することができた。
【考案を実施するための最良の形態】
【０００８】
以下、本考案に係る、釣用天秤１００に関する最良の実施形態について、図面を参照しながら説明する。
図１は、本考案に係る釣用天秤１００を記載した図である。
図２は、本考案に係る釣用天秤１００の姿勢を角度θで表す図である。
図３は、本考案に係る釣用天秤１００の空中と水中の釣り合い状態を示す図である。図３（１）図は、上端リングＲ１を支点として吊下げた時の空中での状態を示す図である。図３（２）図は、釣用天秤１００が水中を等速で沈降していく場合の安定状態を示す図である。
図４は、水中における初期姿勢がθ＝０°、θ＝４５°（アームａが左側にある場合）における、釣用天秤１００が受けるトルクを表す図である。図４（１）図は、水中における初期姿勢がθ＝０°における、釣用天秤１００が受けるトルクを表す図である。図４（２）図は、水中における初期姿勢がθ＝４５°における、釣用天秤１００が受けるトルクを表す図である。
図５は、水中における初期姿勢がθ＝θ２、θ＝９０°（アームａが左側にある場合）における、釣用天秤１００が受けるトルクを表す図である。図５（１）図は、水中における初期姿勢がθ＝θ２においては、釣用天秤１００の受けるトルクが発生せず、等速度で沈降していく安定状態を示す図である。図４（２）図は、水中における初期姿勢がθ＝９０°における、釣用天秤１００が受けるトルクを表す図である。
図６は、水中における初期姿勢がθ＝１３５°、θ＝１８０°（アームａが左側にある場合）における、釣用天秤１００が受けるトルクを表す図である。図６（１）図は、水中における初期姿勢がθ＝１３５°における、釣用天秤１００が受けるトルクを表す図である。図４（２）図は、水中における初期姿勢がθ＝１８０°における、釣用天秤１００が受けるトルクを表す図である。
図７は、水中における初期姿勢がθ＝０°、θ＝４５°（アームａが右側にある場合）における、釣用天秤１００が受けるトルクを表す図である。図７（１）図は、水中における初期姿勢がθ＝０°における、釣用天秤１００が受けるトルクを表す図である。図７（２）図は、水中における初期姿勢がθ＝４５°における、釣用天秤１００が受けるトルクを表す図である。
図８は、水中における初期姿勢がθ＝θ２、θ＝９０°（アームａが右側にある場合）における、釣用天秤１００が受けるトルクを表す図である。図８（１）図は、水中における初期姿勢がθ＝θ２における、釣用天秤１００が受けるトルクを表す図である。図８（２）図は、水中における初期姿勢がθ＝９０°における、釣用天秤１００が受けるトルクを表す図である。
図９は、水中における初期姿勢がθ＝１３５°、θ＝１８０°（アームａが右側にある場合）における、釣用天秤１００が受けるトルクを表す図である。図９（１）図は、水中における初期姿勢がθ＝１３５°における、釣用天秤１００が受けるトルクを表す図である。図９（２）図は、水中における初期姿勢がθ＝１８０°における、釣用天秤１００が受けるトルクを表す図である。
図１０は、釣用天秤１００全体が同じ１本の線材から構成されてなることを示す図である。
以下、本考案に係る、釣用天秤１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の釣用天秤１００において、
上端リングＲ１と下端リングＲ２を設けた本体部ＢとアームリングＲａを設けたアームａから構成され、アームａと本体部Ｂとは直角になるように接続部Ｂａで接続されてなる釣用天秤１００において、
接続部Ｂａより下端までの本体部Ｂの下部Ｂ２の重量を重くして、本体部Ｂの接続部Ｂａより釣用天秤１００の重心Ｏｇが下になるようにしたことを特徴とする釣用天秤１００が開示されている。  
○第１の考案の効果
第１の考案によれば、
上端リングＲ１と下端リングＲ２を設けた本体部ＢとアームリングＲａを設けたアームａから構成され、アームａと本体部Ｂとは直角になるように接続部Ｂａで接続されてなる釣用天秤１００において、
本体部Ｂの接続部Ｂａより下端までの本体下部Ｂ２の重量を重くして、本体部Ｂの接続部Ｂａより釣用天秤１００の重心Ｏｇが下になるようにしたことという特徴的な構成要件により、本考案が解決しようとする第１課題〜第２課題を達成することができ、当業者予測不可能な顕著な効果を奏することができた。  
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の釣用天秤１００において、
上記本体下部Ｂ２が、コイル状に巻いた線材からなることを特徴とする請求項１に記載された釣用天秤１００が開示されている。
○第２の考案の効果
第２の考案によれば、
上記本体下部Ｂ２が、コイル状に巻いた線材からなることという特徴的な構成要件により、本考案が解決しようとする第１課題〜第２課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の釣用天秤１００において、
上端リングＲ１、下端リングＲ２、本体部Ｂ、アームリングＲａ、アームａが全て同じ１本の線材から構成され、釣用天秤１００全体もが同じ１本の線材から構成されてなることを特徴とする請求項１〜２の何れかに記載された釣用天秤１００が開示されている。
○第３の考案の効果
第３の考案によれば、
上端リングＲ１、下端リングＲ２、本体部Ｂ、アームリングＲａ、アームａが全て同じ１本の線材から構成され、釣用天秤１００全体もが同じ１本の線材から構成されてなることという特徴的な構成要件により、本考案が解決しようとする第１課題〜第２課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の釣用天秤１００において、
本体部Ｂの上端リングＲ１を支点にして釣用天秤１００を吊下げた場合、水平アームａが、下方に向いて水平線とのなす角度θが一定角度θ１となることを特徴とする請求項１〜３の何れかに記載された釣用天秤１００が開示されている。
○第４の考案の効果
第４の考案によれば、本体部Ｂの上端リングＲ１を支点にして釣用天秤１００を吊下げた場合、水平アームａが、下方に向いて水平線とのなす角度θがθ１となることという特徴的な構成要件により、本考案が解決しようとする第１課題〜第２課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の釣用天秤１００において、
釣用天秤１００が水中で沈降する場合、本体部Ｂの上端リングＲ１を上側に本体部Ｂの下端リングＲ２を下側し、かつ、水平アームａが上方を向いて水平線とのなす角度θ２が、θ２となる状態を保持して、釣用天秤１００が水中で沈降することを特徴とする請求項１〜４の何れかに記載された釣用天秤１００が開示されている。
○第５の考案の効果
第５の考案によれば、釣用天秤１００が水中で沈降する場合、本体部Ｂの上端リングＲ１を上側に本体部Ｂの下端リングＲ２を下側し、かつ、水平アームａが上方を向いて水平線とのなす角度θが、一定角度θ２となる状態を保持して、釣用天秤１００が水中で沈降することという特徴的な構成要件により、本考案が解決しようとする第１課題〜第２課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
【図面の簡単な説明】
【０００９】
【図１】図１は、本考案に係る釣用天秤１００を記載した図である。
【図２】図２は、本考案に係る釣用天秤１００の姿勢を角度θで表す図である。
【図３】図３は、本考案に係る釣用天秤１００の空中と水中の釣り合い状態を示す図である。図３（１）図は、上端リングＲ１を支点として吊下げた時の空中での状態を示す図である。図３（２）図は、釣用天秤１００が水中を等速で沈降していく場合の安定状態を示す図である。
【図４】図４は、水中における初期姿勢がθ＝０°、θ＝４５°（アームａが左側にある場合）における、釣用天秤１００が受けるトルクを表す図である。図４（１）図は、水中における初期姿勢がθ＝０°における、釣用天秤１００が受けるトルクを表す図である。図４（２）図は、水中における初期姿勢がθ＝４５°における、釣用天秤１００が受けるトルクを表す図である。
【図５】図５は、水中における初期姿勢がθ＝θ２、θ＝９０°（アームａが左側にある場合）における、釣用天秤１００が受けるトルクを表す図である。図５（１）図は、水中における初期姿勢がθ＝θ２においては、釣用天秤１００の受けるトルクが発生せず、等速度で沈降していく安定状態を示す図である。図４（２）図は、水中における初期姿勢がθ＝９０°における、釣用天秤１００が受けるトルクを表す図である。
【図６】図６は、水中における初期姿勢がθ＝１３５°、θ＝１８０°（アームａが左側にある場合）における、釣用天秤１００が受けるトルクを表す図である。図６（１）図は、水中における初期姿勢がθ＝１３５°における、釣用天秤１００が受けるトルクを表す図である。図４（２）図は、水中における初期姿勢がθ＝１８０°における、釣用天秤１００が受けるトルクを表す図である。
【図７】図７は、水中における初期姿勢がθ＝０°、θ＝４５°（アームａが右側にある場合）における、釣用天秤１００が受けるトルクを表す図である。図７（１）図は、水中における初期姿勢がθ＝０°における、釣用天秤１００が受けるトルクを表す図である。図７（２）図は、水中における初期姿勢がθ＝４５°における、釣用天秤１００が受けるトルクを表す図である。
【図８】図８は、水中における初期姿勢がθ＝θ２、θ＝９０°（アームａが右側にある場合）における、釣用天秤１００が受けるトルクを表す図である。図８（１）図は、水中における初期姿勢がθ＝θ２における、釣用天秤１００が受けるトルクを表す図である。図８（２）図は、水中における初期姿勢がθ＝９０°における、釣用天秤１００が受けるトルクを表す図である。
【図９】図９は、水中における初期姿勢がθ＝１３５°、θ＝１８０°（アームａが右側にある場合）における、釣用天秤１００が受けるトルクを表す図である。図９（１）図は、水中における初期姿勢がθ＝１３５°における、釣用天秤１００が受けるトルクを表す図である。図９（２）図は、水中における初期姿勢がθ＝１８０°における、釣用天秤１００が受けるトルクを表す図である。
【図１０】図１０は、釣用天秤１００全体が同じ１本の線材から構成されてなることを示す図である。
【符号の説明】
【００１０】
Ｒ１……上端リング
Ｒ２……下端リング
Ｂ……本体部
Ｂ１……本体上部
Ｂ２……本体下部
Ｒ３……アームリング
ａ……アーム
Ｂａ……接続部
１００……釣用天秤
Ｇ……釣用天秤１００の重心
Ｗ……重り部
【図１】
0003202490.tif 000003
【図２】
0003202490.tif 000004
【図３】
0003202490.tif 000005
【図４】
0003202490.tif 000006
【図５】
0003202490.tif 000007
【図６】
0003202490.tif 000008
【図７】
0003202490.tif 000009
【図８】
0003202490.tif 000010
【図９】
0003202490.tif 000011
【図１０】
0003202490.tif 000012